(57)【要約】【課題】回転機の駆動中に発生する渦電流の増加を抑制する。【解決手段】複数の円環状の電磁鋼板１４を軸方向に積層して形成される固定子鉄心１２と、固定子鉄心１２の内周側に配され、固定子鉄心１２の軸方向両端において外部に露出する固定子巻線１３と、固定子鉄心１２の軸方向両端において、固定子巻線１３の外周側に配され、複数の電磁鋼板１４を軸方向に固定する、円環状の固定子用締め金１１とを備え、固定子用締め金１１の内周面１１ａに溝１１ｂが形成されている回転機を用いることで、回転機の駆動中に発生する渦電流の増加を抑制することができる。【選択図】図１
2016152694.tif 000002
【特許請求の範囲】
【請求項１】
複数の円環状の電磁鋼板を軸方向に積層して形成される固定子鉄心と、
前記固定子鉄心の内周側に配され、前記固定子鉄心の軸方向両端において外部に露出する固定子巻線と、
前記固定子鉄心の軸方向両端において、前記固定子巻線の外周側に配され、前記複数の電磁鋼板を軸方向に固定する、円環状の固定子用締め金とを備え、
前記固定子用締め金の内周面に溝が形成されていることを特徴とする回転機。
【請求項２】
前記溝が、前記固定子用締め金の前記内周面において、周方向に沿って全周にわたり形成された一本以上の溝であることを特徴とする、請求項１に記載の回転機。
【請求項３】
前記溝が、前記固定子用締め金の前記内周面において、周方向に所定間隔毎に配され、それぞれ軸方向に形成された、複数の溝であることを特徴とする、請求項１に記載の回転機。
【請求項４】
前記複数の溝が、それぞれ前記固定子用締め金の前記内周面及びおもて面に形成されていることを特徴とする、請求項３に記載の回転機。
【請求項５】
回転機の固定子鉄心の軸方向両端において、固定子巻線の外周側に配され、前記固定子鉄心を構成する複数の電磁鋼板を軸方向に固定する円環状の固定子用締め金であって、
内周面に溝が形成されていることを特徴とする固定子用締め金。
【請求項６】
前記溝が、前記内周面において、周方向に沿って全周にわたり形成された一本以上の溝であることを特徴とする、請求項５に記載の固定子用締め金。
【請求項７】
前記溝が、前記内周面において、周方向に所定間隔毎に配され、それぞれ軸方向に形成された、複数の溝であることを特徴とする、請求項５に記載の固定子用締め金。
【請求項８】
前記複数の溝が、それぞれ前記内周面及びおもて面に形成されていることを特徴とする、請求項７に記載の固定子用締め金。
【発明の詳細な説明】
【技術分野】
【０００１】
本発明は、回転機及びその固定子用の締め金に関する。
【背景技術】
【０００２】
回転機の固定子（鉄心）は、軸方向に積層された複数の電磁鋼板で構成されている（下記特許文献１参照）。
【０００３】
回転機の駆動中、固定子及び回転子の表面には渦電流が発生する。そこで、固定子鉄心を一体ではなく複数の電磁鋼板で構成することで、固定子鉄心の表面が複数の小面積の面から成ることになり、固定子鉄心の表面に流れる渦電流の経路が短くなるため、渦電流を低減することができる。
【０００４】
固定子鉄心の軸方向両端部には円環状の締め金が配され、積層された複数の電磁鋼板を締め金で固定する。なお、固定子鉄心の内周側には固定子巻線が配され、固定子鉄心の軸方向両端部からはこの固定子巻線が露出しており、締め金は、固定子鉄心の軸方向両端部において露出した固定子巻線の外周側に配される。
【先行技術文献】
【特許文献】
【０００５】
【特許文献１】特開２０１２‐１００４３０号公報
【発明の概要】
【発明が解決しようとする課題】
【０００６】
上記締め金にも、回転子からの漏れ磁束、及び、固定子巻線に流れる電流による磁束が通ることにより渦電流が流れる。従来はこの渦電流を抑制する方法がなかったために損失が発生していた。
【０００７】
本発明は、上述のような技術的状況に鑑みてなされたものであり、駆動中に発生する渦電流の増加を抑制する回転機及びその固定子用の締め金を提供することを目的とする。
【課題を解決するための手段】
【０００８】
上記課題を解決する第１の発明に係る回転機は、
複数の円環状の電磁鋼板を軸方向に積層して形成される固定子鉄心と、
前記固定子鉄心の内周側に配され、前記固定子鉄心の軸方向両端において外部に露出する固定子巻線と、
前記固定子鉄心の軸方向両端において、前記固定子巻線の外周側に配され、前記複数の電磁鋼板を軸方向に固定する、円環状の固定子用締め金とを備え、
前記固定子用締め金の内周面に溝が形成されていることを特徴とする。
【０００９】
上記課題を解決する第２の発明に係る回転機は、
上記第１の発明に係る回転機において、
前記溝が、前記固定子用締め金の前記内周面において、周方向に沿って全周にわたり形成された一本以上の溝であることを特徴とする。
【００１０】
上記課題を解決する第３の発明に係る回転機は、
上記第１の発明に係る回転機において、
前記溝が、前記固定子用締め金の前記内周面において、周方向に所定間隔毎に配され、それぞれ軸方向に形成された、複数の溝であることを特徴とする。
【００１１】
上記課題を解決する第４の発明に係る回転機は、
上記第３の発明に係る回転機において、
前記複数の溝が、それぞれ前記固定子用締め金の前記内周面及びおもて面に形成されていることを特徴とする。
【００１２】
上記課題を解決する第５の発明に係る固定子用締め金は、
回転機の固定子鉄心の軸方向両端において、固定子巻線の外周側に配され、前記固定子鉄心を構成する複数の電磁鋼板を軸方向に固定する円環状の固定子用締め金であって、
内周面に溝が形成されていることを特徴とする。
【００１３】
上記課題を解決する第６の発明に係る固定子用締め金は、
上記第５の発明に係る固定子用締め金において、
前記溝が、前記内周面において、周方向に沿って全周にわたり形成された一本以上の溝であることを特徴とする。
【００１４】
上記課題を解決する第７の発明に係る固定子用締め金は、
上記第５の発明に係る固定子用締め金において、
前記溝が、前記内周面において、周方向に所定間隔毎に配され、それぞれ軸方向に形成された、複数の溝であることを特徴とする。
【００１５】
上記課題を解決する第８の発明に係る固定子用締め金は、
上記第７の発明に係る固定子用締め金において、
前記複数の溝が、それぞれ前記内周面及びおもて面に形成されていることを特徴とする。
【発明の効果】
【００１６】
上記第１の発明に係る回転機によれば、複数の円環状の電磁鋼板を軸方向に積層して形成される固定子鉄心と、前記固定子鉄心の内周側に配され、前記固定子鉄心の軸方向両端において外部に露出する固定子巻線と、前記固定子鉄心の軸方向両端において、前記固定子巻線の外周側に配され、前記複数の電磁鋼板を軸方向に固定する、円環状の固定子用締め金とを備え、前記固定子用締め金の内周面に溝が形成されているので、渦電流が流れる経路が短くなり、渦電流の増加を抑制することができる。
【００１７】
上記第２の発明に係る回転機によれば、上記第１の発明に係る回転機において、前記溝が、前記固定子用締め金の前記内周面において、周方向に沿って全周にわたり形成された一本以上の溝であるので、渦電流の増加を抑制することができるだけでなく、簡単に作製することができる。
【００１８】
上記第３の発明に係る回転機によれば、上記第１の発明に係る回転機において、前記溝が、前記固定子用締め金の前記内周面において、周方向に所定間隔毎に配され、それぞれ軸方向に形成された、複数の溝であるので、渦電流が流れる経路が短くなり、渦電流の増加を抑制することができる。
【００１９】
上記第４の発明に係る回転機によれば、上記第３の発明に係る回転機において、前記複数の溝が、それぞれ前記固定子用締め金の前記内周面、おもて面、外周面、及び、裏面を一周するようにして形成されているので、渦電流が流れる経路がより短くなり、渦電流の増加をさらに抑制することができる。
【００２０】
上記第５の発明に係る固定子用締め金によれば、回転機の固定子鉄心の軸方向両端において、固定子巻線の外周側に配され、前記固定子鉄心を構成する複数の電磁鋼板を軸方向に固定する、円環状の固定子用締め金であって、内周面に溝が形成されているので、渦電流が流れる経路が短くなり、渦電流の増加を抑制することができる。
【００２１】
上記第６の発明に係る固定子用締め金によれば、上記第５の発明に係る固定子用締め金において、前記溝が、前記内周面において、周方向に沿って全周にわたり形成された一本の溝であるので、渦電流の増加を抑制することができるだけでなく、簡単に作製することができる。
【００２２】
上記第７の発明に係る固定子用締め金によれば、上記第５の発明に係る固定子用締め金において、前記溝が、前記内周面において、周方向に所定間隔毎に配され、それぞれ軸方向に形成された、複数の溝であるので、渦電流が流れる経路が短くなり、渦電流の増加を抑制することができる。
【００２３】
上記第８の発明に係る固定子用締め金によれば、上記第７の発明に係る固定子用締め金において、前記複数の溝が、それぞれ前記内周面、おもて面、外周面、及び、裏面を一周するようにして形成されているので、渦電流が流れる経路がより短くなり、渦電流の増加をさらに抑制することができる。
【図面の簡単な説明】
【００２４】
【図１】本発明の実施例１に係る回転機の固定子を示す斜視図である。
【図２】本発明の実施例１に係る回転機の固定子用締め金を説明する図である。（ａ）は回転機の軸方向から見た固定子用締め金の正面図、（ｂ）は（ａ）のＡ部分の拡大図、（ｃ）は固定子用締め金の一部を切り取った斜視図を示している。
【図３】本発明の実施例２に係る回転機の固定子用締め金を説明する図である。（ａ）は回転機の軸方向から見た固定子用締め金の正面図、（ｂ）は（ｃ）のＢ部分の拡大図、（ｃ）は固定子用締め金の一部を切り取った斜視図を示している。
【発明を実施するための形態】
【００２５】
以下、本発明に係る回転機及びその固定子用締め金を実施例にて図面を用いて説明する。
【００２６】
［実施例１］
本発明の実施例１に係る回転機及びその固定子用締め金について、図１，２を用いて説明する。
【００２７】
図１に示すように、本発明の実施例１に係る回転機は、複数の円環状の電磁鋼板１４を軸方向に積層して形成される固定子鉄心１２と、固定子鉄心１２の内周側に配され、固定子鉄心１２の軸方向両端において外部に露出する固定子巻線１３と、固定子鉄心１２の軸方向両端において、固定子巻線１３の外周側に配され、複数の電磁鋼板１４を軸方向に固定する、円環状の固定子用締め金１１とを備えている。
【００２８】
各電磁鋼板１４には、放射状にキー溝（図示略）が配設されており、軸方向に延伸するキー１５が該キー溝に設けられる。これによって、複数の電磁鋼板１４は円周方向に揃えられる。
【００２９】
図２（ａ）〜（ｃ）に示すように、本実施例では、締め金１１の内周面１１ａに、周方向に沿って全周にわたり一本の溝１１ｂが形成されている。なお、溝１１ｂは一本に限定されず、複数であってもよい。
【００３０】
渦電流は締め金１１の表面に流れるため、締め金１１に溝１１ｂが形成されることにより、渦電流が流れる経路が分割されて短くなる。これによって渦電流の増加を抑制することができ、渦電流による回転機の電力損失あるいは動力損失を低減することができる。
【００３１】
特に締め金１１の内周面１１ａは、固定子巻線１２からの漏れ磁束の影響で渦電流が発生しやすいため、本実施例では締め金１１の内周面１１ａに溝１１ｂを形成するようにしてある。
【００３２】
なお、上述では、溝１１ｂが締め金１１の内周面１１ａの周方向に沿って全周にわたり形成される一本のものとしたが、本実施例はこれに限定されるものではなく、内周面１１ａに溝１１ｂが形成されていれば溝１１ｂの形状はどのようなものであってもよく、何本であってもよい。ただし、上述のように内周面１１ａの周方向に沿って全周にわたり溝１１ｂが形成されるものとすることで、渦電流の増加をより抑制するだけでなく、簡単に作製することができる。
【００３３】
［実施例２］
本発明の実施例２に係る回転機及びその固定子用締め金について、図３を用いて説明する。
【００３４】
本発明の実施例２に係る回転機の基本的な構成は、図１に示したものと同じである。つまり、図１に示したように、複数の円環状の電磁鋼板１４を軸方向に積層して形成される固定子鉄心１２と、固定子鉄心１２の内周側に配され、固定子鉄心１２の軸方向両端において外部に露出する固定子巻線１３と、固定子鉄心１２の軸方向両端において、固定子巻線１３の外周側に配され、複数の電磁鋼板１４を軸方向に固定する、円環状の固定子用締め金１１とを備えている。
【００３５】
本発明の実施例２に係る回転機では、図３（ａ）〜（ｃ）に示すように、固定子用締め金２１の周方向に所定間隔毎に配されるようにして複数の溝２１ｂが形成されている。複数の溝２１ｂは、それぞれ円環状の締め金２１の内周面２１ａ、おもて面２１ｃ、外周面２１ｅ、及び、裏面２１ｄを一周するようにして形成されている。
【００３６】
上述のようにして締め金２１に溝２１ｂを形成することにより、実施例１と同様、渦電流が流れる経路が短くなる。これによって渦電流の増加を抑制することができ、渦電流による回転機の電力損失あるいは動力損失を低減することができる。
【００３７】
なお、上述では、複数の溝２１ｂがそれぞれ締め金２１の内周面２１ａ、おもて面２１ｃ、外周面２１ｅ、及び、裏面２１ｄを一周するようにして形成されているものとしたが、本実施例はこれに限定されるものではない。すなわち、複数の溝２１ｂが、それぞれ少なくとも締め金２１の内周面２１ａ及びおもて面において形成されていれば、上述のように一周していなくともよい。ただし、溝２１ｂが一周するようにして形成されていれば、分割される面が増え、さらに渦電流の増加を抑制することができる。
【産業上の利用可能性】
【００３８】
本発明は、回転機及びその固定子用の締め金として好適である。
【符号の説明】
【００３９】
１１，２１  固定子用締め金
１１ａ、２１ａ  内周面
１１ｂ，２１ｂ  溝
１１ｃ  ボルト穴
１２  固定子鉄心
１３  固定子巻線
１４  電磁鋼板
１５  キー
【図１】
2016152694.tif 000003
【図２】
2016152694.tif 000004
【図３】
2016152694.tif 000005